(57)【要約】【課題】従来の繊維製品を始め、再生樹脂を使用した各種繊維製品に対しても、優れた洗浄性、再汚染防止性を発揮する繊維製品用洗浄剤を提供する。【解決手段】芳香族環を１個以上含む炭化水素基にオキシエチレン基又はオキシプロピレン基を付加した第１の非イオン界面活性剤と、ポリオキシアルキレンアルキル（又はアルケニル）エーテル化合物からなる第２の非イオン界面活性剤及びキレート剤を含有し、イオン交換水で希釈し０．１％水溶液としたときのｐＨ（２０℃）が４〜８である繊維製品用洗浄剤である。【選択図】なし【特許請求の範囲】
【請求項１】
下記一般式（１）で表される第１の非イオン界面活性剤と、下記一般式（２）で表される第２の非イオン界面活性剤とを含有し、両者の合計１００重量部に対して、前記第１の非イオン界面活性剤を１〜９９重量部含有する繊維製品用洗浄剤において、キレート剤を含有し、イオン交換水で希釈し０．１％水溶液としたときのｐＨ（２０℃）が４〜８であることを特徴とする繊維製品用洗浄剤。
Ｒ１Ｏ（Ａ１Ｏ）ｍＨ  ……（１）
（式中、Ｒ１は炭素数６〜１８の炭化水素基であり、芳香族環を１個以上含むものを示す。 Ａ１Ｏはオキシエチレン基又はオキシプロピレン基を示し、これらは１種単独でも２種併用されてもよい。ｍは平均付加モル数を表し、５〜２０である。）
Ｒ２Ｏ（Ａ２Ｏ）ｎＨ  ……（２）  
（式中、Ｒ２は炭素数６〜１４のアルキル基又はアルケニル基を示す。Ａ２Ｏはオキシエチレン基又はオキシプロピレン基を示し、これらは１種単独でも２種併用されてもよい。ｎは平均付加モル数を表し、１〜２０である。）
【発明の詳細な説明】
【技術分野】
【０００１】
本発明は、繊維製品用洗浄剤に関し、特に衣料や布製品のダスト、泥汚れ、油汚れなどの洗浄に好適な洗浄剤に関する。
【背景技術】
【０００２】
従来、衣料や布製品などのダスト、泥汚れ、油汚れなどを洗浄するための洗浄剤には、 衣料などの繊維製品の洗浄剤には、エチレンオキサイド付加型のエーテル系非イオン界面活性剤を含有するものがある。これらの非イオン界面活性剤としては、アルキル基やアルケニル基を有するアルコールをベース原料とし、使用濃度がアルカリ性であるものが主として用いられてきた。
【０００３】
下記特許１では、シュウ酸を含有し、ｐＨが１〜５である酸性組成物からなる洗浄剤が開示されている。また特許文献２には、キレート剤とカチオン界面活性剤等を併用し、ｐＨを５未満とした洗浄剤が報告されているが、これらの洗浄剤は繊維への浸透力が弱く、洗浄力が不十分であった。
【０００４】
このように従来、衣料用などの繊維製品の洗浄剤に用いられるエチレンオキサイド付加型のエーテル系非イオン界面活性剤としては、アルキル基又はアルケニル基を有するアルコールをベースとしたものが主として用いられており、スチレン化フェノールのように芳香族環を有するものをベースとしたものは、金属のような硬質表面の洗浄用途としては知られていたが（特許文献３、４参照）、スチレン化フェノールのように芳香族を有するものをベースにし、有機酸を含有し、０．１％水溶液のｐＨが４〜７と酸性に調整されたものは繊維製品の洗浄には用いられていなかった。
【特許文献１】特開２００３−１０５３９０号公報
【特許文献２】特開２００５−２０６８３３号公報
【特許文献３】特開平０８−１０８１５３号公報
【特許文献４】特開平１０−１３０６９１号公報
【発明の開示】
【発明が解決しようとする課題】
【０００５】
近年、ポリエチレンテレフタレートなどの再生樹脂を利用した繊維製品が増加しているが、それに適した洗浄剤はなく、既存の洗浄剤を組み合わせて用いている。しかしながら、素材の違いのため、従来の洗浄剤の能力では十分ではなく、洗浄性、再汚染性に問題が残されている。
【０００６】
本発明は、以上の点に鑑みてなされたものであり、従来からの繊維製品に対しても、また再生樹脂を使用した繊維製品に対しても、優れた洗浄性、再汚染防止性を発揮する繊維製品用洗浄剤を提供することを目的とする。
【課題を解決するための手段】
【０００７】
本発明にかかる繊維製品用洗浄剤は、下記一般式（１）で表される第１の非イオン界面活性剤と、下記一般式（２）で表される第２の非イオン界面活性剤とを含有し、両者の合計１００重量部に対して、前記第１の非イオン界面活性剤を１〜９９重量部含有する繊維製品用洗浄剤において、キレート剤を含有し、イオン交換水で希釈し０．１％水溶液としたときのｐＨ（２０℃）が４〜８であることを特徴とするものである。
【０００８】
Ｒ１Ｏ（Ａ１Ｏ）ｍＨ  ……（１）
式中、Ｒ１は炭素数６〜１８の炭化水素基であり、芳香族環を１個以上含むものを示す。 Ａ１Ｏはオキシエチレン基又はオキシプロピレン基を示し、これらは１種単独でも２種併用されてもよい。ｍは平均付加モル数を表し、５〜２０である。◎
Ｒ２Ｏ（Ａ２Ｏ）ｎＨ  ……（２）  
式中、Ｒ２は炭素数６〜１４のアルキル基又はアルケニル基を示す。Ａ２Ｏはオキシエチレン基又はオキシプロピレン基を示し、これらは１種単独でも２種併用されてもよい。ｎは平均付加モル数を表し、１〜２０である。
【発明の効果】
【０００９】
本発明に係る洗浄剤であると、特定の非イオン活性剤により繊維への浸透力を高め、キレート性を有する有機酸を含有し０．１％水溶液のｐＨが４〜８と調整されたものを使用することで、無機成分を含む汚れの除去を容易にし、従来の繊維製品に対しても、また再生樹脂を使用した繊維製品に対しても、優れた洗浄性を発揮することができ、衣料や各種布製品の洗浄に好適に用いることができる。
【発明を実施するための最良の形態】
【００１０】
以下、本発明の実施の形態について説明する。
【００１１】
（第１の非イオン界面活性剤）
上記一般式（１）において、Ｒ１は炭素数６〜１８の炭化水素基であって芳香族環を１個以上含むものからなり、フェノール、アルキルフェノール、スチレン化フェノール、ベンジル化フェノール、ドデシルフェノール、クレゾール、ベンジルアルコール等が挙げられ、式（１）で表される第１の非イオン界面活性剤は、それらのエチレンオキサイド（以下、ＥＯと表記する。）やプロピレンオキサイド（以下、ＰＯと表記する。）の付加物である。
【００１２】
該炭化水素基の炭素数が１８より大きいと、洗浄性、再汚染防止性ともに低下する。好ましくは、芳香族環を２個含むものであり、特には、Ｒ１はモノ−スチレン化フェニル基であることが好ましい。
【００１３】
ＥＯやＰＯの平均付加モル数であるｍは５〜２０であり、ｍが５より小さいと、再生樹脂を使用した繊維製品に対する洗浄効果が不十分となる。逆にｍが大きすぎると、油汚れに対する洗浄性が低下する。より好ましくは、ｍは６〜１５である。
【００１４】
ＥＯとＰＯの付加は、それぞれ単独（即ち、ＥＯ単独又はＰＯ単独）でもよく、ＥＯとＰＯを併用してもよく、併用の場合、ＥＯ及びＰＯの付加はランダム付加でもブロック付加でもよい。好ましくは、ＥＯ単独での付加、又は、ＥＯとＰＯを併用して付加することである。
【００１５】
（第２の非イオン界面活性剤）
上記一般式（２）で表される第２の非イオン界面活性剤は、ラウリルアルコール、デシルアルコール、トリデシルアルコール等の飽和又は不飽和アルコールにＥＯ及び／又はＰＯを付加させて得られるポリオキシアルキレンアルキル（又はアルケニル）エーテル化合物である。
【００１６】
式（２）中のＲ２は、炭素数６〜１４のアルキル基又はアルケニル基であり、炭素数がこれより小さいと、洗浄性は維持されるが、再汚染防止性が低下し、逆に大きいと、洗浄性が低下する。
【００１７】
ＥＯやＰＯの平均付加モル数であるｎは１〜２０であり、ｍが２０より大きいと、再汚染防止性は維持されるが、洗浄性が低下する。より好ましくは、ｎは５〜２０である。
【００１８】
ＥＯとＰＯの付加は、それぞれ単独（即ち、ＥＯ単独又はＰＯ単独）でもよく、ＥＯとＰＯを併用してもよく、併用の場合、ＥＯ及びＰＯの付加はランダム付加でもブロック付加でもよい。好ましくは、ＥＯ単独での付加、又は、ＥＯとＰＯを併用して付加すること
である。
【００１９】
（キレート剤）
本発明では、鉄イオン、銅イオンなどの洗浄に悪影響を及ぼす重金属イオンを封鎖する作用を有すキレート剤が用いられ、酸性を示すキレート剤が好ましい。キレート剤としては、例えば、アミノポリカルボン酸、ホスホン酸またはホスホノカルボン酸、リン酸、有機酸、ポリカルボン酸、アミノ酸等と、これらのアルカリ金属塩、アルカリ土類金属塩、アンモニウム塩、若しくはアルカノールアミン塩等が挙げられる。
【００２０】
上記アミノポリカルボン酸としては、ニトリロ三酢酸、ヒドロキシエチルエチレンジアミン三酢酸、エチレンジアミン四酢酸、プロピレンジアミン四酢酸、ジエチレントリアミン五酢酸、グリコールエーテルジアミン四酢酸、トリエチレンテトラミン六酢酸、ビス（２−ヒドロキシフェニル酢酸）エチレンジアミン、ジエンコル酸、イミノジ酢酸、ヒドロキシエチルイミノジ酢酸等が挙げられる。
【００２１】
ホスホン酸またはホスホノカルボン酸としては、１−ヒドロキシエチリデン−１，１−ジホスホン酸、１−ヒドロキシエタン−１，１−ジホスホン酸、２−ホスホノ−１，２，４−トリカルボン酸、エタン−１，１−ジホスホン酸、エタン−１，１，２−トリホスホン酸、エタン−１−ヒドロキシ−１，１−ジホスホン酸、エタンヒドロキシ−１，１，２−トリホスホン酸、エタン−１，２−ジカルボキシ−１，２−ジホスホン酸、メタンヒドロキシホスホン酸、アミノトリメチレンホスホン酸等のホスホン酸化合物、２−ホスホノブタン−１，２−ジカルボン酸、２−ホスホノブタン−１，２，４−トリカルボン酸、１−ホスホノブタン−２，３，４−トリカルボン酸、α−メチルホスホノコハク酸等のホスホノカルボン酸化合物が挙げられる。
【００２２】
リン酸としては、オルトリン酸、ポリリン酸、ピロリン酸、メタリン酸、ヘキサメタリン酸等が挙げられる。
【００２３】
有機酸としては、クエン酸、マレイン酸、フマル酸、ジグリコール酸、オキシジコハク酸、カルボキシメチルオキシコハク酸、カルボキシメチル酒石酸等が挙げられる。
【００２４】
ポリカルボン酸としては、ポリアクリル酸、ポリイタコン酸、ポリマレイン酸、アクリル酸−マレイン酸共重合体、無水マレイン酸−スチレン共重合体、無水マレイン酸−エチレン共重合体、無水マレイン酸−酢酸ビニル共重合体、無水マレイン酸−アクリル酸エステル共重合体等のビニル型高分子化合物を使用することができる。
【００２５】
これらは単独で使用できることはもちろんのこと、２種以上を任意の組合せで併用してもよい。
【００２６】
（ｐＨ調整剤）
本発明においては、洗浄剤をイオン交換水で希釈し０．１％水溶液としたときのｐＨ（２０℃）が４〜８である。ｐＨが高すぎると、本発明が目的とする汚れの洗浄効果が得られない。また、ｐＨは低い程、汚れを落とし易くする効果は高く、キレート剤の機能を向上することができるが、ｐＨが４未満では、被洗浄繊維の変色、洗浄用容器の腐食に対する容器材質の制限等の問題があり、実使用に向かない。このｐＨ範囲に調整するために、下記ｐＨ調整剤を用いることができる。
【００２７】
ｐＨ調整剤の例としては、無機酸や有機酸を例示することができ、無機酸としては、塩酸、硫酸、硝酸、リン酸、ホウ酸等が挙げられ、有機酸としては、クエン酸、リンゴ酸、シュウ酸、マロン酸、コハク酸、グルタル酸、マレイン酸、フマル酸、酒石酸、グルコン酸、アスパラギン酸、ギ酸、酢酸、乳酸等が挙げられる。
【００２８】
また、必要に応じて、水酸化ナトリウム、水酸化カリウム、モノエタノールアミン、ジエタノールアミン、トリエタノールアミン等の適当なアルカリ性化合物を用いてｐＨを調整することができる。
【００２９】
ｐＨ調整剤は１種でも２種以上を併用してもよく、その使用量は、ｐＨを調整できる量であればよく、０．１〜３０重量部程度であり、好ましくは０．５〜１０重量部の範囲内である。
【００３０】
（繊維製品用洗浄剤）
本発明の洗浄剤は、上記第１の非イオン界面活性剤と第２の非イオン界面活性剤を含有するものであり、第２の非イオン界面活性剤を配合することにより、両者の相乗効果で洗浄性、再汚染防止性がともに向上する。第１の非イオン界面活性剤の含有量は、第１の非イオン界面活性剤と第２の非イオン界面活性剤の合計量を１００重量部として、第１の非イオン界面活性剤が１〜９９重量部であることが好ましく、より好ましくは２０〜８０重量部であり、さらに好ましくは３０〜７０重量部である。
【００３１】
本発明の洗浄剤には、上記キレート剤が配合される。これにより、汚れの中に存在する無機物に作用し、特に鉄イオンや銅イオンなどの重金属イオンを封鎖する作用を発揮し洗浄性を向上することができる。キレート剤の配合量は第１の非イオン界面活性剤と第２の非イオン界面活性剤の合計量を１００重量部として、０．０５〜４０重量部の範囲が好適であり、より好ましくは０．１〜３０重量部である。０．０５重量部未満では、金属イオンを封鎖する作用が得られなくなる。
【００３２】
本発明の洗浄剤は、粉末状でもよく、また、水に溶解させた液状、ペースト状でもよい。
【００３３】
本発明の洗浄剤には、上記各成分に加え、本発明の効果を損なわない範囲内で、必要に応じて、例えば、アニオン界面活性剤、石鹸、無機アルカリ剤、再汚染防止剤、酵素、消泡剤、蛍光増白剤、抗菌剤、香料など、一般に繊維製品用洗浄剤に用いられる他の成分を配合してもよい。
【００３４】
本発明の洗浄剤は、上記一般式（１）及び式（２）で示す非イオン界面活性剤を含み、さらにキレート剤を配合し、ｐＨを弱酸性〜弱アルカリ性条件の特定範囲としたため、従来の素材からなる繊維製品に対して優れた効果を発揮するだけでなく、ポリエチレンテレフタレートやポリエチレン等の再生樹脂を用いた繊維製品に対して優れた洗浄性と再汚染防止性に相乗効果が得られる。
【００３５】
本発明の洗浄剤を用いた洗浄は、該洗浄剤を水に溶解させて、得られた水溶液中に被洗浄物を投入し撹拌することで行われる。その際、水溶液中における洗浄剤の濃度は、特に限定されないが、０．１〜１０重量％であることが好ましい。
【実施例】
【００３６】
以下、本発明を実施例により具体的に説明するが、本発明の範囲はこれに限定されるも
のではない。
【００３７】
下記表１に示す配合に従い、各成分を混合して、実施例及び比較例の洗浄剤を調製した。
【００３８】
表中の各成分は以下の通りである。
【００３９】
［第１の非イオン界面活性剤］
・非イオン界面活性剤１−１：スチレン化フェノールにＥＯを７モル付加した化合物
・非イオン界面活性剤１−２：スチレン化フェノールにＥＯ７モルとＰＯ３モルをランダム付加した化合物
・非イオン界面活性剤１−３：スチレン化フェノールにＥＯを１２モル付加した化合物
・非イオン界面活性剤１−４：ドデシルフェノールにＥＯ１３モルとＰＯ５モルをランダム付加した化合物
【００４０】
［第２の非イオン界面活性剤］
・非イオン界面活性剤２−１：ラウリルアルコールにＥＯ５モルとＰＯ２モルをランダム付加した化合物、
・非イオン界面活性剤２−２：トリデシルアルコールにＥＯ５モルとＰＯ２モルランダム付加した化合物
・非イオン界面活性剤２−３：デシルアルコールにＥＯ９モルとＰＯ３モルをランダム付加した化合物
【００４１】
［キレート剤］
・酸性ピロリン酸ソーダ：燐化学工業（株）製
・１−ヒドロキシエタア−１，１−ジホスホン酸：ナカライテスク（株）製
・クエン酸：ナカライテスク（株）製
・ニトリロ三酢酸：和光純薬工業（株）製
・ポリアクリル酸：和光純薬工業（株）製
【００４２】
［ｐＨ調整剤］
・ジエタノールアミン
【００４３】
得られた各洗浄剤について、洗浄性（洗浄率）と、再汚染防止性（再汚染率）を下記試料について、下記方法により測定して評価した。結果を表１に示す。
【００４４】
［試料］
・ＥＭＰＡ１０４（ＥＭＰＡ社製評価布：ポリエステル／綿混紡人工汚染布）：カーボンとオリーブ油を付着させたもの
・ＥＭＰＡ１０１（ＥＭＰＡ社製評価布：ポリエステル人工汚染布）：カーボンとオリーブ油を付着させたもの
・ポリエステル汚染布（ペットボトルから再生したポリエステル繊維（帝人（株）製「エコペット」使用）：ダストと鉱物油を各３ｇ付着させたもの
・ナイロン汚染布（東レ（株）製「東レナイロン」使用）：ダストと鉱物油を各３ｇ付着させたもの
・ポリエステル白布（ペットボトルから再生したポリエステル繊維（帝人（株）製「エコペット」使用）：未汚染布
【００４５】
［洗浄率］
８ｃｍ×８ｃｍの汚染布試料を、洗浄試験機としてターゴトメーターを用いて、１００ｒｐｍ、５０℃、１０分間、浴比（汚染布／水）＝１／３３の洗浄条件にて、洗浄試験を行った。洗浄剤濃度は０．１重量％とした。
【００４６】
洗浄率は、未汚染布及び洗浄前後の反射率を、東京電色（株）製の色差計「ＴＣ−１５００ＳＸ」を用いて測定し、次式によって算出した。 ◎
洗浄率（％）＝｛（洗浄後の反射率−洗浄前の反射率）／（未汚染布の反射率−洗浄前の反射率）｝×１００
評価は、汚染布３枚の洗浄率の平均値を求め、洗浄率が５０％以上のものを「◎」、２０％以上５０％未満のものを「○」、１０％以上２０％未満のものを「△」、１０％未満のものを「×」とした。
【００４７】
［再汚染率］
再汚染率は、上記洗浄率の洗浄試験においてポリエステル白布（未汚染布）を洗浄試験器に同時に投入し、試験前後の白布の反射率を、東京電色（株）製の色差計「ＴＣ−１５００ＳＸ」を用いて測定し、次式によって算出した。 ◎
再汚染率（％）＝｛（洗浄前の白布の反射率−洗浄後の白布の反射率）／（洗浄前の白
布の反射率）｝×１００
評価は、白布３枚の再汚染率の平均値を求め、再汚染率が１０％未満のものを「○」、１０％以上３０％未満のものを「△」、３０％以上のものを「×」とした。
【００４８】
【表１】
2008202007.tif 000002
【００４９】
表に示すように、実施例の洗浄剤は、従来の繊維製品であるナイロン生地に対しても、再生樹脂を使用したポリエステル生地に対しても、洗浄性、再汚染防止性に優れていた。
【産業上の利用可能性】
【００５０】
本発明の繊維製品用洗浄剤は、従来の繊維製品を始め、再生樹脂を使用した各種繊維製品の洗浄に用いることができ、特に、衣料、シーツやカーテンなどの布製品用洗剤や、ダストコントロール用洗剤として好適に用いることができる。